(57)【特許請求の範囲】
【請求項１】
本体と、この本体に取り付けられており前後方向に延在する棒体と、この棒体に対して前後方向にスライド可能でありかつこのスライドが任意の位置で阻止されうる重錘とを備えており、
上記重錘が、前後方向に延びかつ棒体が通された貫通孔を備えており、
この重錘の後端が第一ポジションとこの第一ポジションよりも下方の第二ポジションとをとりうるように、この貫通孔の後端の上下方向内寸が前端の上下方向内寸よりも大きく設定されており、
この第一ポジションにおいて重錘のスライドが阻止され、第二ポジションにおいて重錘がスライド可能であるように構成されたルアー。
【請求項２】
重錘に取り付けられたスナップリングをさらに備えており、
上記棒体が複数の溝を備えており、
第一ポジションにおいてスナップリングが溝に嵌合し、第二ポジションにおいてスナップリングの溝への嵌合が解除されるように構成された請求項１に記載のルアー。
【請求項３】
本体と、この本体に取り付けられており前後方向に延在する棒体と、この棒体に対して前後方向にスライド可能でありかつこのスライドが任意の位置で阻止されうる重錘とを備えており、
上記重錘が、前後方向に延びかつ棒体が通された貫通孔を備えており、
この重錘の後端が第一ポジションとこの第一ポジションよりも下方の第二ポジションとをとりうるように、この貫通孔の後端の上下方向内寸が前端の上下方向内寸よりも大きく設定されており、
この第二ポジションにおいて重錘のスライドが阻止され、第一ポジションにおいて重錘がスライド可能であるように構成されたルアー。
【請求項４】
上記重錘の後端を下向きに付勢する弾性体と、この重錘に取り付けられた係合体とをさらに備えており、
上記棒体が複数の溝を備えており、
第二ポジションにおいて弾性体の付勢により係合体が溝に係合し、第一ポジションにおいて係合体の溝への係合が解除されるように構成された請求項３に記載のルアー。
【発明の詳細な説明】
【技術分野】
【０００１】
本発明は、釣りに用いられるルアーに関する。本発明に係るルアーには、イカ釣り用のエギが含まれる。
【背景技術】
【０００２】
近年、エギングと称されるイカ釣りが盛んに行われている。このイカ釣りには、エギが用いられる。エギは、本体と、アイと、針部と、重錘とを備えている。本体は木又は合成樹脂からなり、エビに似た形態を備えている。アイには、ラインが結ばれる。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギはジグザグに移動する。この動作は、「ダート」と称されている。これらの動作により、イカはエギをベイトと勘違いし、エギに抱きつく。このとき、イカに針部が引っかかり、イカが釣り上げられる。
【０００３】
エギの沈降姿勢は、その重心位置に大きく依存する。重心が後寄りのエギは、ヘッドとテールとが水平を保ちつつ沈降する。一方、重心が前寄りのエギは、テールよりもヘッドが下に位置しつつ沈降する。エギの沈降速度も、その重心位置に大きく依存する。重心が後寄りのエギは、ゆっくりと沈降する。一方、重心が前寄りのエギは、速く沈降する。ジグザグに移動するときの幅（以下「ダート幅」と称される）も、エギの重心位置に大きく依存する。
【０００４】
潮の流れ方向、水温、イカの活性等の状況に応じ、釣り人は、重心位置が適切なエギを選択する。釣り人は、重心位置の異なる複数のエギを準備しなければならない。このことは、釣り人にとって負担である。
【０００５】
重心位置のチューニングが、釣り人によって行われることもある。具体的には、本体又は重錘の所定位置に糸重錘が巻き付けられることで、エギの重心位置が変更されうる。この巻き付け作業は、釣り人にとって負担である。また、糸重錘の量や位置は釣り人の勘に委ねられるので、重心位置の正確な設定は不可能である。
【０００６】
株式会社シマノ発行の「2005 Fishing Tackle Catalogue」の第２４０頁には、重心位置が変更されうるエギが開示されている。このエギは、重錘と、この重錘を貫通する棒体とを備えている。重錘の内周面には雌ネジが螺刻されており、棒体の外周面には雄ネジが螺刻されている。重錘が回されることで、棒体に対して重錘が前方又は後方へと移動する。この移動により、エギの重心位置が変更されうる。
【非特許文献１】株式会社シマノ発行の「2005 Fishing Tackle Catalogue」
【発明の開示】
【発明が解決しようとする課題】
【０００７】
重心移動にネジ式重錘が採用されたエギでは、ねじ山の１ピッチ分の距離の移動のために、重錘が１回転させられる必要がある。重心が大幅に変更されるには、多数回の回転が必要である。このエギでは、重心移動に時間を要する。リトリーブ完了後、直ちに重心を変更してキャストしたいと思う釣り人もいる。このような釣り人の要請には、このエギでは応えることはできない。
【０００８】
本発明の目的は、重心位置の変更が容易に行われうるルアーの提供にある。
【課題を解決するための手段】
【０００９】
本発明に係るルアーは、本体と、この本体に取り付けられており前後方向に延在する棒体と、この棒体に対して前後方向にスライド可能でありかつこのスライドが任意の位置で阻止されうる重錘とを備える。
【００１０】
好ましくは、重錘は、前後方向に延びかつ棒体が通された貫通孔を備える。この重錘の後端が第一ポジションとこの第一ポジションよりも下方の第二ポジションとをとりうるように、この貫通孔の後端の上下方向内寸は、前端の上下方向内寸よりも大きく設定される。この第一ポジションにおいて重錘のスライドは阻止され、第二ポジションにおいて重錘はスライド可能である。
【００１１】
好ましくは、このルアーは、重錘に取り付けられたスナップリングをさらに備える。棒体は、複数の溝を備える。第一ポジションにおいてスナップリングは溝に嵌合し、第二ポジションにおいてスナップリングの溝への嵌合が解除されうる。
【００１２】
第二ポジションにおいて重錘のスライドが阻止され、第一ポジションにおいて重錘がスライド可能であるように、ルアーが構成されてもよい。
【００１３】
好ましくは、このルアーは、重錘の後端を下向きに付勢する弾性体と、この重錘に取り付けられた係合体とをさらに備える。棒体は、複数の溝を備える。第二ポジションにおいて弾性体の付勢により係合体が溝に係合し、第一ポジションにおいて係合体の溝への係合は解除されうる。
【発明の効果】
【００１４】
このルアーでは、重錘のスライドにより、重心位置が変更されうる。変更は、短時間でなされうる。この変更作業は、簡便である。
【発明を実施するための最良の形態】
【００１５】
以下、適宜図面が参照されつつ、好ましい実施形態に基づいて本発明が詳細に説明される。
【００１６】
図１は、本発明の一実施形態に係るルアーとしてのエギ２が示された正面図である。図１において、左側がエギ２の前側であり、右側がエギ２の後側である。このエギ２は、本体４、ヒレ６、アイ８、針部１０、前側取付部１２、後側取付部１４、棒体１６、重錘１８及び固定部２０を備えている。
【００１７】
本体４の形状は、エビに類似している。本体４は、木又は合成樹脂からなる。本体４の表面が着色されてもよい。本体４の表面に、模様が画かれてもよい。着色や模様は、イカに対するアピールに寄与する。本体４にクロスが巻かれ、このクロスが着色されてもよい。
【００１８】
ヒレ６は、合成樹脂等からなる。ヒレ６は、毛羽状である。ヒレ６は、本体４に、接着剤等の手段によって接合されている。ヒレ６は、イカに対するアピールに寄与する。
【００１９】
アイ８は、本体４の前端に位置する。アイ８は、金属線が曲げられて形成されている。金属線の後端は、本体４に埋め込まれており、本体４に堅固に固定されている。このアイ８には、ラインが結ばれる。
【００２０】
針部１０は、本体４の後端に位置する。針部１０は、軸２２、前針２４及び後針２６からなる。軸２２の前端は、本体４に埋め込まれており、本体４に堅固に固定されている。前針２４は、軸２２の途中から前方に向かって延びている。多数の前針２４が、放射状に配列されている。後針２６は、軸２２の後端から前方に向かって延びている。多数の後針２６が、放射状に配列されている。前針２４及び後針２６は、先細り形状である。イカがエギ２に抱きついたとき、イカの触手が前針２４又は後針２６に引っ掛かる。これにより、イカが釣り上げられる。
【００２１】
前側取付部１２及び後側取付部１４は、本体４に対して一体的に取り付けられている。棒体１６は、前側取付部１２と後側取付部１４との間に掛け渡されている。棒体１６の外周面には、雄ネジが螺刻されている。棒体１６は、重錘１８を貫通している。重錘１８の内周面には、ネジは螺刻されていない。重錘１８は、典型的には、鉛又は鉛合金からなる。固定部２０は板状である。固定部２０は、重錘１８の後端に取り付けられている。
【００２２】
図２（ａ）は図１のエギ２の重錘１８及び固定部２０が示された拡大右側面図であり、図２（ｂ）はその一部が示された拡大図である。この図２（ａ）から明らかなように、重錘１８の上面２８は平坦である。この上面２８は、本体４の下面と当接する。この当接により、重錘１８の回転が阻止される。
【００２３】
図３は、図２のIII−III線に沿った断面図である。図３に示されるように、重錘１８は前後方向（図３における左右方向）に延びる貫通孔３０を備えている。この貫通孔３０には、棒体１６が通されている。重錘１８の前端３２では、貫通孔３０の断面形状は、ほぼ円形である。前端３２では、貫通孔３０の内径は棒体１６の外径よりも若干大きい。貫通孔３０の天井３４は、後端３６に向かって上向きに傾斜している。従って、貫通孔３０の上下方向内寸は、後端３６に向かって広がっている。後端３６では、貫通孔３０の断面形状は長円である。後端３６の上下方向内寸は、前端３２の上下方向内寸よりも大きい。後端３６は、棒体１６に対して上下方向に揺動しうる。
【００２４】
固定部２０は、板状である。図２に示されるように、固定部２０は、馬蹄形の外枠３８と、スナップリング４０とを備えている。外枠３８とスナップリング４０とは、一体的に形成されている。外枠３８は、３つの穴４２を備えている。図３に示されるように、穴４２には、重錘１８と一体とされたリベット４４が通されている。リベット４４のカシメにより、固定部２０が重錘１８に取り付けられている。
【００２５】
スナップリング４０は、ベース円弧部４６、右側円弧部４８及び左側円弧部５０を備えている。図２（ｂ）において両矢印Ｗで示されているのは、右側円弧部４８と左側円弧部５０との距離である。ベース円弧部４６はベース張出部５２を備えており、右側円弧部４８は右側張出部５４を備えており、左側円弧部５０は左側張出部５６を備えいる。張出部５２、５４、５６の内周は、点Ｏを中心とする円の上に位置する。図２（ｂ）において矢印Ｒで示されているのは、点Ｏと張出部５２、５４、５６との距離である。
【００２６】
図４（ａ）は図１のエギ２の一部が示された拡大正面図であり、図４（ｂ）はその右側面図である。これらの図には、棒体１６が示されている。前述のように、棒体１６には雄ネジが螺刻されている。従って、棒体１６は、ネジ山５８及びネジ溝６０を備えている。距離Ｗ（図２参照）は、ネジ溝６０の外径よりも若干小さい。距離Ｒ（図２参照）の２倍の値（２Ｒ）は、ネジ山５８の外径よりも若干小さく、ネジ溝６０の外径よりも若干大きい。図４では、重錘１８の前後方向は、棒体１６に対して傾斜している。本発明では、図４に示された状態は、「重錘１８の後端３６が第二ポジションにある状態」と称される。この状態では、固定部２０及び重錘１８は棒体１６に対してスライド自在である。
【００２７】
図５（ａ）は図１のエギ２の一部が示された拡大正面図であり、図５（ｂ）はその右側面図である。この図５では、重錘１８の前後方向は水平である。棒体１６には、スナップリング４０が嵌合している。図示されていないが、ベース張出部５２、右側張出部５４及び左側張出部５６は、ネジ溝６０に入り込んでいる。本発明では、図５に示された状態は、「重錘１８の後端３６が第一ポジションにある状態」と称される。第一ポジションにおける重錘１８の後端３６の位置は、第二ポジションにおける重錘１８の後端３６の位置よりも上方である。この状態では、スナップリング４０のネジ溝６０への嵌合により、重錘のスライドが阻止されている。
【００２８】
図５に示された状態において、釣り人が重錘１８の後端を矢印Ｂで示される方向に引っ張ると、右側円弧部４８が右側へと変形し、左側円弧部５０が左側へと変形する。これにより、両円弧部４８、５０の距離Ｗが広がり、棒体１６がスナップリング４０から脱抜されうる。脱抜後は、右側張出部５４及び左側張出部５６が復元する。脱抜により、図４に示された状態が達成される。換言すれば、後端３６が第一ポジションから第二ポジションへと移行する。第二ポジションでは、重錘１８が棒体１６に対してスライド可能である。釣り人は、所望の位置まで重錘１８をスライドさせる。さらに釣り人は、図４において矢印Ａで示される方向に、重錘１８の後端３６を押す。これにより、両円弧部４８、５０の距離Ｗが広がり、ネジ溝６０にスナップリング４０が嵌合する。嵌合後は、右側張出部５４及び左側張出部５６が復元する。嵌合により、図５に示された状態が達成される。換言すれば、後端３６が第二ポジションから第一ポジションへと移行する。第一ポジションでは、重錘１８は棒体１６に対しスライドできない。このエギ２がキャストされても、重錘１８は棒体１６に対して移動しない。
【００２９】
このエギ２では、スナップリング４０からの棒体１６の脱抜及びスナップリング４０への棒体１６の嵌め込みが、いわゆるワンタッチでなされる。また、棒体１６に対する重錘１８のスライドも、極めて短時間でなされうる。このエギ２では、重心位置の変更が、簡便かつ短時間でなされうる。
【００３０】
図６は、図１のエギ２の使用状態が示された正面図である。この図６では、重錘１８は最も前寄りに位置している。換言すれば、エギ２の重心は前寄りである。従って、エギ２は水中において、ヘッド６２よりもテール６４が高い位置にある姿勢を保持しつつ、沈降する。この姿勢では、水の抵抗が小さいので、エギ２は高速で沈降する。
【００３１】
図６において矢印Ｃで示されているのは、アイ８に結ばれたライン（図示されず）にテンションが掛けられた状態でエギ２が沈降するときの沈降方向である。符号αで示されているのは、そのときの沈降角度である。重心が前寄りにあるエギ２では、沈降角度αは大きい。
【００３２】
釣り人がラインを巻きつつ竿先を左右に連続的に動かすと、エギ２はジグザグに移動する。重心が前寄りのエギ２は、大きなダート幅を伴って移動する。
【００３３】
沈降速度が速いエギ２、沈降角度が大きいエギ２又はダート幅が大きいエギ２に対してアタックしやすいイカがターゲットであるときは、重錘１８が前寄りに置かれることが有利である。
【００３４】
図７は、図１のエギ２の他の使用状態が示された正面図である。この図７では、重錘１８は最も後寄りに位置している。換言すれば、エギ２の重心は後寄りである。従って、エギ２は水中において、水平姿勢を保持しつつ、沈降する。この姿勢では、水の抵抗が大きいので、エギ２は低速で沈降する。
【００３５】
図７において矢印Ｄで示されているのは、アイ８に結ばれたライン（図示されず）にテンションが掛けられた状態でエギ２が沈降するときの沈降方向である。符号βで示されているのは、そのときの沈降角度である。重心が後寄りにあるエギ２では、沈降角度βは小さい。
【００３６】
釣り人がラインを巻きつつ竿先を左右に連続的に動かすと、エギ２はジグザグに移動する。重心が後寄りのエギ２は、小さなダート幅を伴って移動する。
【００３７】
沈降速度が遅いエギ２、沈降角度が小さいエギ２又はダート幅が小さいエギ２に対してアタックしやすいイカがターゲットであるときは、重錘１８が後寄りに置かれることが有利である。
【００３８】
重錘１８が、図６に示された位置と図７に示された位置との中間に位置してもよい。
【００３９】
このエギ２では、棒体１６に雄ネジが螺刻されているが、雄ネジに代えて、棒体に多数の環状溝が形成されてもよい。固定部の機構は、スナップリング４０には限られない。第一ポジションにおいて重錘７２のスライドが阻止され、第二ポジションにおいて重錘のスライドが許容される種々の機構が、採用されうる。
【００４０】
図８は、本発明の他の実施形態に係るルアーとしてのエギ７０が示された正面図である。この図８において、左側がエギ７０の前側であり、右側がエギ７０の後側である。このエギ７０は、本体４、ヒレ６、アイ８、針部１０、前側取付部１２、後側取付部１４、棒体１６、重錘７２及び板バネ７４を備えている。本体４、ヒレ６、アイ８、針部１０、前側取付部１２、後側取付部１４及び棒体１６の構成は、図１に示されたエギ２のそれらと同等である。
【００４１】
図９は、図８のエギ７０の重錘１８が、カバー７６と共に示された斜視図である。カバー７６は、トップ板７８、このトップ板７８から垂下する前板８０及び後板８２、下板８３並びに板バネ７４を備えている。前板８０には、円形の穴８４が形成されている。後板８２には、長円の穴８６が形成されている。穴８６は、上下方向に長い。板バネ７４は、トップ板７８から立ち上がっている。図９において矢印Ｅで示されるように、カバー７６は重錘１８に装着される。カバー７６は、重錘１８の表面を覆う。カバー７６は、重錘１８に堅固に接合される。
【００４２】
図１０（ａ）は図８のエギ７０の一部が示された拡大右側面図であり、図１０（ｂ）は図１０（ａ）のＢ−Ｂ線に沿った断面図である。これらの図には、重錘７２と共にカバー７６が示されている。図１０（ｂ）に示されるように、重錘７２は前後方向に延びる貫通孔８８を備えている。この貫通孔８８には、棒体１６が通されている。重錘７２の前端９０では、貫通孔８８の断面形状は、ほぼ円形である。前端９０では、貫通孔８８の内径は棒体１６の外径よりも若干大きい。貫通孔８８の天井９２は、後端９４に向かって上向きに傾斜している。従って、貫通孔８８の上下方向内寸は、後端９４に向かって広がっている。後端９４では、貫通孔８８の断面形状は長円である。後端９４の上下方向内寸は、前端９０の上下方向内寸よりも大きい。後端９４は、棒体１６に対して上下方向に揺動しうる。
【００４３】
図１０から明らかなように、後板８２に形成された穴８６の上端９６は、重錘７２の後端９４に形成された開口の上端９８よりも下方に位置する。換言すれば、後板８２のうち上端９６よりも上方の部分は、重錘７２とは積層されていない。この部分は、係合体１００を構成する。
【００４４】
板バネ７４は、本体４と重錘７２との間に介在しており、重錘７２の後端９４を下方に付勢している。この付勢により、係合体１００がネジ溝６０と係合している。この係合により、重錘７２の棒体１６に対するスライドが阻止されている。本発明では、図１０に示された状態は、「重錘７２の後端９４が第二ポジションにある状態」と称される。板バネ７４に代えて、他の弾性体が用いられてもよい。他の弾性体としては、ツルマキバネ、ゴム等が例示される。
【００４５】
図１１（ａ）は図８のエギ７０の一部が示された拡大右側面図であり、図１１（ｂ）は図１１（ａ）のＢ−Ｂ線に沿った断面図である。これらの図には、重錘７２と共にカバー７６が示されている。この図１１では、重錘７２の後端９４は、図１０に比べて上方に位置している。板バネ７４は、本体４と重錘７２との間に挟まれて圧縮している。係合体１００は、棒体１６から離れている。換言すれば、係合体１００のネジ溝６０への係合が解除されている。本発明では、図１１に示された状態は、「重錘７２の後端９４が第一ポジションにある状態」と称される。この状態では、重錘７２は棒体１６対してスライド自在である。
【００４６】
図１０に示された状態において、釣り人が重錘７２の後端９４を上方に押し上げると、係合体１００とネジ溝６０との係合が解除される。このとき、板バネ７４は圧縮している。解除により、図１１に示された状態が達成される。換言すれば、後端９４が第二ポジションから第一ポジションへと移行する。第一ポジションでは、重錘７２が棒体１６に対してスライド可能である。釣り人は、後端９４を上方に押しつつ、所望の位置まで重錘７２をスライドさせる。さらに釣り人は、重錘７２から手を離す。これにより板バネ７４が復元し、後端９４が下降する。下降により、係合体１００がネジ溝６０と係合する。係合により、図１０に示された状態が達成される。換言すれば、後端９４が第一ポジションから第二ポジションへと移行する。第二ポジションでは、重錘７２は棒体１６に対しスライドできない。このエギ７０がキャストされても、重錘７２は棒体１６に対して移動しない。
【００４７】
このエギ７０では、重錘７２のネジ溝６０に対する係合及びこの係合の解除が、いわゆるワンタッチでなされる。また、棒体１６に対する重錘７２のスライドも、極めて短時間でなされうる。このエギ７０では、重心位置の変更が、簡便かつ短時間でなされうる。このエギ７０では、沈降姿勢、沈降速度及びダート幅の調整が、容易になされうる。
【００４８】
このエギ７０では、棒体１６に雄ネジが螺刻されているが、雄ネジに代えて、棒体に多数の環状溝が形成されてもよい。棒体１６との係合の機構は、係合体１００には限られない。第二ポジションにおいて重錘７２のスライドが阻止され、第一ポジションにおいて重錘のスライドが許容される種々の機構が、採用されうる。
【産業上の利用可能性】
【００４９】
以上説明された重錘移動機構は、エギのみならず、種々のルアーに適用されうる。
【図面の簡単な説明】
【００５０】
【図１】図１は、本発明の一実施形態に係るルアーとしてのエギが示された正面図である。
【図２】図２（ａ）は図１のエギの重錘及び固定部が示された拡大右側面図であり、図２（ｂ）はその一部が示された拡大図である。
【図３】図３は、図２のIII−III線に沿った断面図である。
【図４】図４（ａ）は図１のエギの一部が示された拡大正面図であり、図４（ｂ）はその右側面図である。
【図５】図５（ａ）は図１のエギの一部が示された拡大正面図であり、図５（ｂ）はその右側面図である。
【図６】図６は、図１のエギの使用状態が示された正面図である。
【図７】図７は、図１のエギの他の使用状態が示された正面図である。
【図８】図８は、本発明の他の実施形態に係るルアーとしてのエギが示された正面図である。
【図９】図９は、図１のエギの重錘が、カバーと共に示された斜視図である。
【図１０】図１０（ａ）は図８のエギの一部が示された拡大右側面図であり、図１０（ｂ）は図１０（ａ）のＢ−Ｂ線に沿った断面図である。
【図１１】図１１（ａ）は図８のエギの一部が示された拡大右側面図であり、図１１（ｂ）は図１１（ａ）のＢ−Ｂ線に沿った断面図である。
【符号の説明】
【００５１】
２、７０・・・エギ
４・・・本体
８・・・アイ
１０・・・針部
１６・・・棒体
１８、７２・・・重錘
２０・・・固定部
３０、８８・・・貫通孔
３８・・・外枠
４０・・・スナップリング
４４・・・リベット
４６・・・ベース円弧部
４８・・・右側円弧部
５０・・・左側円弧部
５２・・・ベース張出部
５４・・・右側張出部
５６・・・左側張出部
５８・・・ネジ山
６０・・・ネジ溝
７４・・・板バネ
７６・・・カバー
１００・・・係合体
【図１】
0004808498.tif 000002
【図２】
0004808498.tif 000003
【図３】
0004808498.tif 000004
【図４】
0004808498.tif 000005
【図５】
0004808498.tif 000006
【図６】
0004808498.tif 000007
【図７】
0004808498.tif 000008
【図８】
0004808498.tif 000009
【図９】
0004808498.tif 000010
【図１０】
0004808498.tif 000011
【図１１】
0004808498.tif 000012